(57)【要約】【課題】低背化に対応できるとともに、構造が簡単であり、且つ、ＳＩＭカードの誤挿入に対してコンタクトが損傷することを防止できるようにした横向きにＳＩＭカードを挿入するタイプのカード用コネクタを提供する。【解決手段】複数のコンタクトを片持ち梁状に支持するベース部材の底壁を含む縦長のＳＩＭカードを横向きに挿入するカード用コネクタにおいて、前記複数のコンタクトは、挿入されるＳＩＭカードの外部接点に対応して配置され、前記コンタクトは、前記ＳＩＭカードのパッドに接触する接点部、該接点部を弾性的に上下方向に変位させることを可能とする２つの弾性変形部、及び一部が底壁に固定され、残りはコネクタが装着される電子機器の外部接点に接続される端子部を有し、前記２つの弾性変形部は、接点部を頂点とし、頂角θ１を有する二等辺三角形状をなして連結され、前記複数のコンタクトそれぞれは、互いに平行に、カード挿入方向に逆Ｖ字形に配置される。【選択図】図４
2010161012.tif 000002
【特許請求の範囲】
【請求項１】
複数のコンタクトを片持ち梁状に支持するベース部材の底壁を含む縦長の集積回路内蔵ＳＩＭカードを横向きに挿入するカード用コネクタにおいて、
前記複数のコンタクトは、挿入される集積回路内蔵ＳＩＭカードの外部接点に対応して配置され、
前記コンタクトは、前記集積回路内蔵ＳＩＭカードの外部接点に接触する接点部、該接点部を弾性的に上下方向に変位させることを可能とする２つの弾性変形部、及び一部が底壁に固定され、前記カード用コネクタが装着される電子機器の外部接点に接続される端子部を有し、
前記２つの弾性変形部は、接点部を頂点とし、頂角θ１を有する二等辺三角形状をなして連結され、
前記複数のコンタクトそれぞれは、互いに平行に、カード挿入方向に逆Ｖ字形に配置されることを特徴とするカード用コネクタ。
【請求項２】
複数のコンタクトを片持ち梁状に支持するベース部材の底壁を含む縦長の集積回路内蔵ＳＩＭカードを横向きに挿入するカード用コネクタにおいて、
前記複数のコンタクトは、挿入される集積回路内蔵ＳＩＭカードの外部接点に対応して配置され、
前記コンタクトは、前記集積回路内蔵ＳＩＭカードの外部接点に接触する接点部、該接点部を弾性的に上下方向に変位させることを可能とする二等辺三角形状の弾性変形部、及び一部が底壁に固定され、前記カード用コネクタが装着される電子機器の外部接点に接続される端子部を有し、
前記二等辺三角形状の弾性変形部は、接点部を頂点とする頂角θ１を有し
前記複数のコンタクトそれぞれは、互いに平行に、カード挿入方向に逆Ｖ字形に配置されることを特徴とするカード用コネクタ。
【請求項３】
前記底壁には、第１の開口および第２の開口が形成され、
各開口には、複数の前記コンタクトが配列されていることを特徴とする請求項１および２記載のカード用コネクタ。
【請求項４】
前記第１の開口に配列された前記複数のコンタクトの頂角θ１と、
前記第２の開口に配列された前記複数のコンタクトの頂角θ１と、の角度が異なることを特徴とする請求項３記載のカード用コネクタ。
【発明の詳細な説明】
【技術分野】
【０００１】
本発明は、カード用コネクタに関し、より詳細には、縦長のＳＩＭ（Subscriber Identify Module）カードを横向きに挿入するタイプのカード用コネクタに関する。
【背景技術】
【０００２】
従来、携帯電話などの電子機器においては、機能拡張のためいろいろな集積回路内蔵カード（以下、「ＩＣカード」という。）が使用されてきている。このようなＩＣカードは、通常、カード用コネクタを介して電子機器に装着される。ＩＣカード用コネクタには、ＩＣカードと電子機器とを電気的に接続する複数のコンタクトが設けられている。該コンタクトそれぞれは、細長い板状をなし、一端をコネクタに固定され、他端を自由端とするいわゆる片持ち梁状に支持され、互いに平行に配列されている。ＩＣカードは、通常、平行に配列されたコンタクトの配列方向に沿って挿入される。また、ＩＣカードがその幅（横方向の長さ）が奥行（縦方向の長さ）よりも短い長方形である（以下、このようなＩＣカードを「縦長のＩＣカード」という。）場合、ＩＣカードの従来の挿入方向は、通常、該ＩＣカードの縦方向（縦向き）であることが多い。
【０００３】
近年、電子機器の小型化などにより、ＩＣカード用コネクタの配置位置により、ＩＣカードの挿入方向を従来の縦方向から該縦方向に直交する方向すなわち横方向（横向き）に変更せざるをえない場合が生じてきた。このような挿入方向の変更に対応するために、特許文献１に開示されるように、複数のコンタクトがカードの挿入方向に対して傾斜するように配置されたＩＣカード用コネクタが提案されている。
【０００４】
特許文献１に開示されるカード用コネクタは、コンタクトをカードの挿入方向に対して傾斜させることで、ＩＣカードが縦方向または横方向に挿入されてもよいように構成されている。すなわち、コンタクトをカード挿入方向に対して傾斜させて配置することで、縦長のＩＣカードが縦方向または横方向に挿入されることに対して挿入されるＩＣカードがコンタクトに対して引っ掛かることなく円滑に挿入される。
【先行技術文献】
【特許文献】
【０００５】
【特許文献１】特開２００７−１４９３９４号公報
【発明の概要】
【発明が解決しようとする課題】
【０００６】
しかしながら、縦長のＩＣカードが横方向から挿入されることを要求されるときに、カード用コネクタ内に誤って縦方向に挿入されることが起こり得る（図４参照）。このようなＩＣカードの誤挿入時、従来のコンタクト構造及び配置であると、縦長のＩＣカードの角部がコンタクトの自由端としての端子部に当たり、それにより、コンタクトを変形または座屈させる恐れが生じる。
【０００７】
コンタクトの自由端にＩＣカードの角部が当接しないように、例えば、コンタクトの自由端をコンタクトが支持されているカード用コネクタのベース基板に隠すことが考えられる。この場合、必要な接圧を確保するためにはコンタクトの高さを高くしなければならず、近年のカード用コネクタの低背化を図る流れに逆行することになり、また、カード用コネクタ、特にコンタクトの構造も複雑になる。
【０００８】
本願発明の目的は、カード用コネクタの低背化に対応できるとともに、構造が簡単であり、且つ、縦長のＩＣカードとしてのＳＩＭカードの誤挿入に対してコンタクトが損傷することを防止できるようにした横向きにＳＩＭカードを挿入するタイプのカード用コネクタを提供することにある。
【課題を解決するための手段】
【０００９】
上記目的を達成するために、本願発明に係るカード用コネクタは、複数のコンタクトを片持ち梁状に支持するベース部材の底壁を含む縦長のＳＩＭカードを横向きに挿入するカード用コネクタにおいて、前記複数のコンタクトは、挿入されるＳＩＭカードの外部接点に対応して配置され、前記コンタクトは、前記ＳＩＭカードのパッドに接触する接点部、該接点部を弾性的に上下方向に変位させることを可能とする２つの弾性変形部、及び一部が底壁に固定され、残りはカード用コネクタが装着される電子機器の外部接点に接続される端子部を有し、前記２つの弾性変形部は、接点部を頂点とし、頂角θ１を有する二等辺三角形状をなして連結され、前記複数のコンタクトそれぞれは、互いに平行に、カード挿入方向に逆Ｖ字形に配置されることを特徴とする。
【００１０】
また、本願発明に係るカード用コネクタは、複数のコンタクトを片持ち梁状に支持するベース部材の底壁を含む縦長のＳＩＭカードを横向きに挿入するカード用コネクタにおいて、前記複数のコンタクトは、挿入されるＳＩＭカードの外部接点に対応して配置され、前記コンタクトは、前記ＳＩＭカードのパッドに接触する接点部、該接点部を弾性的に上下方向に変位させることを可能とする二等辺三角形状の弾性変形部、及び一部が底壁に固定され、残りはカード用コネクタが装着される電子機器の外部接点に接続される端子部を有し、前記二等辺三角形状の弾性変形部は、接点部を頂点とする頂角θ１を有し、前記複数のコンタクトそれぞれは、互いに平行に、カード挿入方向に逆Ｖ字形に配置されることを特徴とする。
【発明の効果】
【００１１】
本願発明のカード用コネクタは、コンタクトを２つの弾性変形部で接点部を頂点として、頂角θ１を有する二等辺三角形状に形成することで、または接点部を頂点として頂角θ１を有する二等辺三角形状の弾性変形部を備えることで、コンタクトの構造が簡単であるにもかかわらず、誤挿入されるＳＩＭカードによりコンタクトの変形を抑制することができる。また、頂角θ１を適切に設定することで、コンタクトの変形を防止することも可能である。さらに、コンタクトは従来と同様に片持ち梁状にベース部材に固定、支持され得るからコネクタの低背化にも対応可能である。
【図面の簡単な説明】
【００１２】
【図１】本願発明に係るカード用コネクタの一実施態様を示し、（ａ）は、上面図であり、（ｂ）は、正面図である。
【図２】図１（ａ）に示されるカード用コネクタにおいて、カバー部材を取り除いた状態のカードコネクタの上面図である。
【図３】図２に示されるカード用コネクタにＳＩＭカードが正しく挿入されている状態を示す図であり、（ａ）は、上面図であり、（ｂ）は、図３（ａ）に示されるＩＩＩ−ＩＩＩ線に沿って断面された断面図である。
【図４】図２に示されるカード用コネクタにＳＩＭカードが誤って挿入された状態を示す図である。
【図５】本願発明に係るカード用コネクタに使用されるコンタクトの実施例を示し、（ａ）は、該コンタクトの一実施例であり、（ｂ）は、別の実施例である。
【図６】本願発明に係るカード用コネクタの別の実施態様の上面図である。
【発明を実施するための形態】
【００１３】
以下、図１ないし６を用いて本願発明に係るカード用コネクタの実施態様について説明する。
【００１４】
図１は、本願発明に係るカード用コネクタの一実施態様を示し、（ａ）は、上面図であり、（ｂ）は、正面図である。図２は、図１（ａ）に示されるカード用コネクタにおいて、カバー部材を取り除いた状態のカード用コネクタの上面図である。図３は、図２に示されるカード用コネクタにＳＩＭカードが正しく挿入されている状態を示す図であり、（ａ）は、上面図であり、（ｂ）は、図３（ａ）に示されるＩＩＩ−ＩＩＩ線に沿って断面された断面図である。図４は、図２に示されるカード用コネクタにＳＩＭカードが誤って挿入された状態を示す図である。図５は、本願発明に係るカード用コネクタに使用されるコンタクトの実施例を示し、（ａ）は、該コンタクトの一実施例であり、（ｂ）は、別の実施例である。図６は、本願発明に係るカード用コネクタの別の実施態様の上面図である。
【実施例１】
【００１５】
最初に、本実施態様に係るカード用コネクタ（以下、単に、「コネクタ」という。）１０に挿入されるＳＩＭカード１００について簡単に説明する。本実施態様におけるＳＩＭカード１００は、図３、４に示されるように、縦方向の長さ（図３において、左右方向の長さ）がＬであり、横（幅）方向の長さ（図３において、上下方向の長さ）がＤとするときＬ＞Ｄの縦長の扁平な形状をなしている。本実施態様におけるＳＩＭカード１００は、図３において、裏面側に外部接点として複数（本実施態様では、６個）のパッド（不図示）が設けられている。
【００１６】
図１（ａ）、（ｂ）及び図２に示されるように、本願発明に係る第１の実施態様としてのカード用コネクタ１０は、概略、カバー部材２０、ベース部材３０及び複数のコンタクト４０を備えている。
【００１７】
カバー部材２０は、ベース部材３０と重ね合わされることでＳＩＭカード１００（図３）が挿入され得る箱状のカード収容空間１２を形成する。カバー部材２０は、概略矩形状の天板２１、該矩形状の天板２１の３辺から天板２１に対して直交するように設けられる第１の側壁２２、第２の側壁２３、第３の側壁２４を備え、図１（ａ）において下方側及び図１（ｂ）において下方側が開放している。カバー部材２０の天板２１には、ＳＩＭカード１００の挿入、取り出しを容易にし得るように、該ＳＩＭカード１００が挿入されるカード挿入口１３側に切欠凹部２５が形成されている。また、組み立てられたコネクタ１０を電子機器に半田付けなどで固定するために、複数（本実施態様では、４個）の固定片２６が第１ないし３の側壁２２、２３及び２４の所定の位置に設けられている。
【００１８】
ベース部材３０は、概略矩形状の底壁３１、該矩形状の底壁の３辺から底壁３１に対して直交するように設けられる第１の側壁３２、第２の側壁３３、第３の側壁３４を備えている。ベース部材３０の第１ないし３の側壁３２、３３及び３４は、コネクタ１０として組み立てられるとき、それぞれ、カバー部材２０の第１ないし３の側壁２２、２３及び２４に重ね合わせられ、図１（ｂ）に示されるように、箱状のカード収容空間１２を形成するとともに、図１（ａ）において下方側にカード挿入口１３を形成する。すなわち、本実施態様におけるコネクタ１０は、縦長のＳＩＭカード１００を横（幅）方向に挿入するように構成されている。
【００１９】
ベース部材３０には、後述する複数のコンタクト４０が配置される概略矩形状の開口部３５、３６が形成される。本実施態様では、挿入されるＳＩＭカード１００の複数のパッドの配列位置に対応して、細長い矩形状の第１の開口部３５及び第２の開口部３６の２つが、図２に明確に示されるように、上下方向に互いに平行に延在している。該１の開口部３５は、図２において右側第２の側壁３３寄りに、また、第２の開口部３６は、左側中央寄りに配置されている。第１及び第２の開口部３５、３６の左右方向の中心線（図２においては、第１の開口部３５の中心線Ｏ１−Ｏ１のみ示されている。）は、第１の側壁３２及び第２の側壁３３に平行である。すなわち、第１及び第２の開口部３５、３６の左右方向の中心線（Ｏ１−Ｏ１）は、カード挿入方向に平行である。本実施態様においては、第１及び第２の開口部３５、３６それぞれに３個ずつのコンタクト４０が配置される。第１及び第２の開口部３５、３６の間には、窓部３７、３８、３９が設けられている。窓部３７、３８、３９には、コンタクト４０の一方の端子部が配置されている。
【００２０】
複数のコンタクト４０は、コネクタ１０に挿入されるＳＩＭカード１００とコネクタ１０が取り付けられている電子機器（不図示）との間を電気的に接続する。より詳細には、コンタクト４０は、ＳＩＭカード１００の外部接点であるパッドと電子機器の外部接点とを接続する。複数のコンタクト４０それぞれは、導電性の金属薄板からプレス加工により形成される。
【００２１】
各コンタクト４０は、本実施態様では、図２及び図５（ａ）に示されるように、接点部４１、２本の弾性変形部４２、４４及び２つの端子部４３、４５を備えている。接点部４１は、コンタクト４０の自由端としてＳＩＭカード１００のパッドに弾性的に接触するように、２つの弾性変形部４２、４４が連結される交差部分に設けられ、カード収容空間１２内に位置している。２つの弾性変形部４２、４４は、同じ長さを有し、弾性変形部４２、４４の外側の稜線４２ａ及び４４ａが角度θ１をなすように接点部４１に連結され、該接点部４１を弾性的に上下方向（図３（ｂ）において、左右方向）に変位させる。これらのことから、接点部４１は、角度θ１をなして交わる２つの弾性変形部４２、４４で形成される二等辺三角形の頂点に位置することが理解される。したがって、コンタクト４０の形状は、これに限定されるものではないが、全体的に上から見て逆Ｖ字形状をなしているといえる。２つの弾性変形部４２、４４それぞれの接点部４１とは反対側に位置する端部は、左右２つの端子部４３、４５に連結している。２つの端子部４３、４５は、電子機器の外部接点に半田付けなどにより接続されるが、少なくとも１つの端子部４３または４５が電子機器の外部接点に接続されれば良く、必ずしも２つとも接続される必要はない。該端子部４３、４５は、角度θ１をなして交わる２つの弾性変形部４２、４４で形成される二等辺三角形の底辺の延長線上に延在し、その一部は、コンタクト４０をベース部材３０の底壁３１に固定する固定部として利用される。本実施態様では、コンタクト４０の固定方法として、これに限られるものではないが、図２に示されるように、インサート成形により端子部４３、４５の一部が底壁３１に埋め込まれている。したがって、コンタクト４０は、図３（ｂ）の断面図に示されるように、横から見て、端子部４３、４５により、片持ち梁状に、ベース部材３０の底壁３１に固定され、支持される。
【００２２】
本実施態様では、コンタクト４０は、第１の開口部３５に３個、第２の開口部３６に３個、合計６個上下方向に互いに平行に配置される。具体的には、第１の開口部３５に配置されるコンタクト４０各々は、第１の開口部３５の左右方向中心線Ｏ１−Ｏ１上に接点部４１が位置し、左右の２つの弾性変形部４２、４４が左右方向中心線Ｏ１−Ｏ１に対して左右対称位置にくるように配置される。また、接点部４１がカード挿入方向に対して後方（図２において上方）に位置するように配置される。左右２つの弾性変形部４２、４４それぞれに続く左右２つの端子部４３、４５を結ぶ直線（上述した角度θ１をなして交わる２つの弾性変形部４２、４４で形成される二等辺三角形の底辺の延長線に一致する。）は、ベース部材３０の第３の側壁３４に平行である。したがって、第１の開口部３５に配置される３個のコンタクト４０は、図２に示されるように、それぞれの接点部４１が上方に位置する逆Ｖ字形状をなして互いに平行に配置される。左右２つの弾性変形部４２、４４を、同じ長さにすることにより弾性変形部を捩れ難くすることができる。
【００２３】
本実施態様では、例えば、第１の開口部３５に配置されるコンタクト４０の図２において左側の端子部４３は、ベース部材３０の底壁３１に形成された窓部３９内に突出するように延在する。他方、コンタクト４０の右側の端子部４５は、底壁３１の第２の側壁３３から外側（図２において右側）に突出するように延在する。
【００２４】
第２の開口部３６に配置される３個のコンタクト４０も第１の開口部に配置されるコンタクト４０と同じであるので説明を省略する。
【００２５】
本実施態様においては、図２に示されるように、第２の開口部３６に配置されるコンタクト４０において、２つの弾性変形部４２、４４のなす角度がθ２であるように示されている。この場合、θ１≧θ２であることが好ましい。このように構成することにより、ＳＩＭカード１００のパッドの挟ピッチ化に対応し得る。また、このように構成しても、第２の開口部３６に配置されるコンタクト４０は、後述するように、ＳＩＭカード１００が誤挿入されたときも、損傷する恐れが少ないためである。
【００２６】
本実施態様におけるコンタクト４０の形状は、以上の通りであるが、該コンタクト４０の形状は、図５（ｂ）に示されるような形状のコンタクト１４０であってもよい。コンタクト１４０とコンタクト４０とは、コンタクト４０における逆Ｖ字形状をなす２つの弾性変形部４２、４４の間のＶ字形空間部に金属薄板が存在し、接点部１４１及び弾性変形部１４２が連続した、頂角がθ１である二等辺三角形状に形成されている点で相違する。コンタクト１４０の接点部１４１が二等辺三角形の頂点に配置され、左右２つの端子部１４３、１４５が二等辺三角形の底辺から延長する線状に延在する点は、コンタクト４０と同じである。
【００２７】
以上、本発明に係る第１の実施態様としてのコネクタ１０の構造についてコンタクト４０の変形例１４０を含めて具体的に説明してきた。ここで、コネクタ１０にＳＩＭカード１００を挿入する動作及びＳＩＭカード１００を誤挿入した場合の本発明に係るコネクタ１０の動作について、図３及び４を用いて説明する。
【００２８】
図３（ａ）は、コネクタ１０に対して縦長のＳＩＭカード１００が正しく横方向に挿入されている途中の状態を示している。図３（ｂ）は、図３（ａ）のＩＩＩ−ＩＩＩ線（ＩＩＩ−ＩＩＩ線は、第１の開口部３５の左右方向の中心線Ｏ１−Ｏ１に一致する。）に沿って断面された断面図である。
【００２９】
図３（ａ）の状態において、ＳＩＭカード１００を上方に押し込むことで、ＳＩＭカード１００がコネクタ１０のカード収容空間１２内に完全に装着される。この時、複数（本実施態様では６個）のコンタクト４０それぞれが対応するＳＩＭカード１００の複数のパッドそれぞれに所定の接圧で接触する。ＳＩＭカード１００の取り出しは、カバー部材２０の切欠凹部２５を介してＳＩＭカード１００に指を当てコネクタ１０から引き出せばよい。
【００３０】
例えば、図４に示されるように、使用者が、ＳＩＭカード１００を従来からよく知られている縦方向に挿入するタイプと勘違いして、ＳＩＭカード１００を誤ってベース部材３０の第１の側壁３１に沿ってカード収容空間１２内に挿入する場合が生じる。この時、ＳＩＭカード１００を図４のように時計回りに回転させると、上述したように、コンタクトが直線状であって、カード挿入方向に片持ち梁状に底壁３１に支持されている場合、ＳＩＭカード１００の角部１０１がコンタクトの接点部や弾性変形部に当接する恐れがある。場合によっては、コンタクト１００の角部１０１がコンタクトの下に入り込む恐れもある。そうすると、コンタクト４０が座屈させられたり、捻られたりされ、コンタクトを傷め、以後の使用に支障をきたす恐れが生じる。
【００３１】
しかしながら、本実施態様におけるコンタクト４０は、上述したように、コンタクト４０の２つの弾性変形部４２、４４が接点部４１を頂点とする角度θ１（または、θ２）をなして逆Ｖ字形状に形成されている。したがって、図４に示されるように、ＳＩＭカード１００の角部１０１が左側の弾性変形部４２に当接しても、左側の弾性変形部４２は傾斜しているため、ＳＩＭカード１００の角部１０１による座屈やねじりなどの変形力が分散する。さらに、ＳＩＭカード１００の角部１０１が左側の弾性変形部４２に当接した場合、右側の弾性変形部４４が左側の弾性変形部４２を補強する形で支えているため、ＳＩＭカードの回転を抑えることができるとともに、左側の弾性変形部４２の変形が小さくて済む。
【００３２】
さらに、図４には、ＳＩＭカード１００の左辺１０３がコネクタ１０のベース部材３０の第１の側壁３２に対して角度θ０をなすようにＳＩＭカード１００が回転した状態が示されている。図４には、また、ＳＩＭカード１００の右辺１０２が、第１の開口部３５の最上部に配列されるコンタクト４０の左側の弾性変形部４２と左側の端子部４３との交差部としての左側弾性変形部４２の根元４２ｂに当接している状態が示されている。なお、この状態が、ＳＩＭカード１００をコネクタ１０内に誤挿入して該ＳＩＭカード１００を抜き取る場合に起こり得る、コンタクト４０に与える悪影響が最も大きい場合と考えられる。また、このような最悪の場合においても、第２の開口部３６に配列される複数のコンタクト４０は、ＳＩＭカード１００の形状及びパッドの配置などを勘案すると、通常、誤挿入されるＳＩＭカード１００の下に入り込むので、これらのコンタクト４０の損傷は考えられない。
【００３３】
上述のＳＩＭカード１００がθ０回転した状態において、左側の弾性変形部４２の根元４２ｂを通る第１の側壁３２に平行な直線ｍを引くと、直線ｍとＳＩＭカードの右辺１０２とのなす角はθ０であることは明白である。また、直線ｍとコンタクト４０の左側の弾性変形部４２とのなす角は、θ１／２であることも明白である。この時、図４に示されるように、θ０≦θ１／２（すなわち、２θ０≦θ１）であれば、ＳＩＭカード１００の角部１０１は、まだ、コンタクト４０の接点部４１や左の弾性変形部４２には当接していない。この状態からＳＩＭカード１００がさらに時計回りに回転すると、ＳＩＭカード１００の右辺１０２が、底壁３１の上面とほぼ面一の高さに位置する左側弾性変形部４２の根元４２ｂ側から接点部４１側へ接触していく。それにより、ＳＩＭカード１００の右辺１０２は、自由端である接点部４１を含めて左側弾性変形部４２を下方に向けて徐々に弾性変形させ、これを押し下げる。このため、ＳＩＭカード１００の角部１０１は、該左側弾性変形部４２及び接点部４１に当接し得ないことになる。
【００３４】
このことは、θ１≧２θ０となるようにコンタクト４０の頂角θ１を設定すれば、ＳＩＭカード１００の角部１０１がコンタクトの接点部４１や弾性変形部４２に当接することがないことを意味する。すなわち、本願発明のように逆Ｖ字形または二等辺三角形状のコンタクト４０の頂角θ１を設定することで、コンタクト４０の座屈やねじりによる損傷を防ぐことが可能となることが理解される。
【００３５】
上記第１の実施態様に係るコネクタ１０は、以上述べたとおり、三辺に側壁２２、２３、２４を有するカバー部材２０及び対応する三辺に側壁３２、３３、３４を有するベース部材３０を備えている。しかし、本発明に係るコネクタ１０はこれに限られるものではない。図６にコネクタの別の実施態様が示される。
【実施例２】
【００３６】
図６に示されるコネクタ１１０は、カバー部材２０及びベース部材３０の側壁３２、３３、３４が省略された構造を有している。具体的には、コネクタ１１０は、ベース部材１３０は、底壁１３１部分のみを有し、カバー部材２０の天板部分やＳＩＭカード１００を案内する側壁部分を、コネクタ１１０が装着される電子機器側に持たせるようにしたものである。底壁１３１に形成される第１及び第２の開口部３５、３６及び第１及び第２の開口部３５、３６に配列されるコンタクト４０は、上記実施態様と同じであってよい。
【符号の説明】
【００３７】
１０                カード用コネクタ
２０                カバー部材
３０                ベース部材
３１                底壁
４０、１４０        コンタクト
４１、１４１        接点部
４２、４４、１４２  弾性変形部
４３、４５，１４３、１４５  端末部
１００              ＳＩＭカード
【図１】
2010161012.tif 000003
【図２】
2010161012.tif 000004
【図３】
2010161012.tif 000005
【図４】
2010161012.tif 000006
【図５】
2010161012.tif 000007
【図６】
2010161012.tif 000008